(57)【特許請求の範囲】
【請求項１】
本体と蓋とで囲むワイヤハーネス貫通路を備えたプロテクタであって、
前記ワイヤハーネスに外装したコルゲートチューブの挿入部の挟込固定用として、前記本体に先端開口から所要寸法間に本体内面から係止リブを並列に突設している一方、前記蓋に内部を視認できる目視穴を設け、該目視穴はワイヤハーネス挿通方向を長尺とした１つの長方形状の長穴で形成し、該長穴の中心を前記本体の先端開口からのコルゲートチューブの挿入寸法の設定寸法の位置とし、該長穴の両端は前記設定寸法の公差範囲のプラス端とマイナス端に設定し、該コルゲートチューブの先端が目視できる位置に前記目視穴を設けていることを特徴とするプロテクタ。
【請求項２】
本体と蓋とで囲むワイヤハーネス貫通路を備えたプロテクタであって、
前記ワイヤハーネスに外装したコルゲートチューブの挿入部の挟込固定用として、前記本体に先端開口から所要寸法間に本体内面から係止リブを並列に突設している一方、前記蓋に内部を視認できる目視穴をワイヤハーネス挿通方向に沿って間隔をあけて第１目視穴と第２目視穴の２個を設け、前記第１目視穴の第２目視穴側端縁は前記本体の先端開口からのコルゲートチューブの挿入寸法の設定寸法に対する公差範囲のマイナス端に位置させ、第２目視穴の第１目視穴側端縁は前記公差範囲のプラス端に位置させているワイヤハーネス用のプロテクタ。
【発明の詳細な説明】
【技術分野】
【０００１】
本発明はワイヤハーネス用のプロテクタに関し、詳しくは、自動車等の車両に配索するワイヤハーネスに外装したコルゲートチューブの端部をプロテクタの本体と蓋との間に挟み込んで固定するプロテクタであって、該プロテクタで挟み込まれるコルゲートチューブの寸法が設定寸法の公差範囲内にあるか否かを目視検査可能とするものである。
【背景技術】
【０００２】
従来、自動車に配索するワイヤハーネスを集束保護するため屈曲性および伸縮性を有するコルゲートチューブを外装している。また、ワイヤハーネスの配索方向を規制すると共に保護機能を高めるために樹脂成形品からなるプロテクタで部分的に外装している。コルゲートチューブは押出成形された共用品が用いられる一方、プロテクタは専用品として射出成形される場合が多い。
【０００３】
ワイヤハーネスにコルゲートチューブを外装すると共に所要区間はプロテクタで外装する場合、コルゲートチューブの端部をプロテクタ内に所要寸法挿入固定して、コルゲートチューブがプロテクタから離脱しないようにしている。
そのため、本出願人は特開２００４−７２９３２号公報で、図８に示すプロテクタを提供している。図８（Ａ）（Ｂ）に示すように、プロテクタ１００は、電線引出部の底壁１００ａの内面からストッパ１０２を突設し、かつ、ストッパ１０２より奥側の底壁１００ａに目視穴１０３を設けている。また、ストッパ１０２より開口側には底壁１００ａから係止リブ１０５を突設している。
図８（Ｃ）に示すように、プロテクタ１００に挿入するコルゲートチューブＣＴの先端をストッパ１０２に突き当ててコルゲートチューブの挿入寸法を管理し、目視穴１０３からコルゲートチューブの先端を目視できるようにしている。
【先行技術文献】
【特許文献】
【０００４】
【特許文献１】特開２００４−７２９３２号公報
【発明の概要】
【発明が解決しようとする課題】
【０００５】
前記プロテクタでは蓋を被せた状態で目視穴１０３から内部を目視するようにしているが、目視穴１０３をストッパ１０２と共にプロテクタの本体の底壁１００ａに設けると共にストッパ１０２より奥側に設け、さらにストッパ１０２の突出量を大としているため、コルゲートチューブの先端がストッパ１０２に突き当てられているか否かがストッパ１０２で遮られて目視しにくく、コルゲートチューブの挿入寸法の実寸を把握しにくい。特に、コルゲートチューブの先端がストッパ１０２に達していない場合にはコルゲートチューブの先端を目視できない。
【０００６】
また、図８（Ｃ）に示すように、ストッパ１０２が突出しているため、ワイヤハーネスがストッパ１０２で押し上げられ、プロテクタ１００に蓋１１０を被せると、蓋も押し上げられ蓋のロックがしにくくなる問題がある。特に、ワイヤハーネスに外装したコルゲートチューブがストッパ１０２を乗り越えると、蓋の押し上げ量も増大し、ロックがかからなくなる。しかしながら、ストッパ１０２の高さを低くすると、ストッパ１０２としての機能は低下するため、ストッパ１０２の高さを低くできない。
【０００７】
本発明は前記問題が発生することなく、プロテクタ内に挿入固定されるコルゲートチューブの実寸を外部から目視できるプロテクタを提供することを課題としている。
【課題を解決するための手段】
【０００８】
前記課題を解決するため、第１の発明は、本体と蓋とで囲むワイヤハーネス貫通路を備えたプロテクタであって、
前記ワイヤハーネスに外装したコルゲートチューブの挿入部の挟込固定用として、前記本体に先端開口から所要寸法間に本体内面から係止リブを並列に突設している一方、前記蓋に内部を視認できる目視穴を設け、該目視穴はワイヤハーネス挿通方向を長尺とした１つの長方形状の長穴で形成し、該長穴の中心を前記本体の先端開口からのコルゲートチューブの挿入寸法の設定寸法の位置とし、該長穴の両端は前記設定寸法の公差範囲のプラス端とマイナス端に設定し、該コルゲートチューブの先端が目視できる位置に前記目視穴を設けていることを特徴とするプロテクタを提供している。
【０００９】
前記のように、第１の発明のプロテクタでは、コルゲートチューブ用の係止リブを本体の内面から突設する一方、目視穴は蓋に設け、目視穴から内部をのぞくと、前記ストッパ等の遮蔽物なしにコルゲートチューブの端部が見えるようにし、目視のみで寸法確認を可能としている。また、目視穴の位置はコルゲートチューブがプロテクタ内に設定寸法の公差範囲内の寸法で挿入されておれば、該コルゲートチューブの先端が目視できる位置に設けている。よって、目視穴からコルゲートチューブの先端が目視できれば、コルゲートチューブはプロテクタ内に所要寸法が挟み込み固定され、公差範囲内の製品が出来ていると判断することができる。
特に、プロテクタの本体に蓋を被せてロック結合した後に、該プロテクタへのコルゲートチューブの挟み込み実寸を管理できるため、組付不良品の流出を防止することができる。
【００１０】
前記のように、目視穴はワイヤハーネス挿通方向を長尺とした１つの長方形状で形成し、該長穴の中心は前記設定寸法とし、該長穴の両端は前記公差範囲のプラス端とマイナス端に設定している。
該長穴からなる目視穴の長寸は、コルゲートチューブの公差寸法を考慮して１０〜２５ｍｍ、好ましくは１０〜１５ｍｍである。直交する短寸は２〜５ｍｍ、好ましくは３〜４ｍｍである。該短寸は内部が目視可能な範囲で狭くし、外部干渉材が目視穴を通して内部に挿入できないようにしている。
【００１１】
また、第２の発明のプロテクタとして、本体と蓋とで囲むワイヤハーネス貫通路を備えたプロテクタであって、
前記ワイヤハーネスに外装したコルゲートチューブの挿入部の挟込固定用として、前記本体に先端開口から所要寸法間に本体内面から係止リブを並列に突設している一方、前記蓋に内部を視認できる目視穴をワイヤハーネス挿通方向に沿って間隔をあけて第１目視穴と第２目視穴の２個を設け、前記第１目視穴の第２目視穴側端縁は前記本体の先端開口からのコルゲートチューブの挿入寸法の設定寸法に対する公差範囲のマイナス端に位置させ、第２目視穴の第１目視穴側端縁は前記公差範囲のプラス端に位置させているワイヤハーネス用のプロテクタを提供している。
前記第１目視穴と第２目視穴の間隔は１０〜２５ｍｍとし、各第１目視穴、第２目視穴の長さは５〜１０ｍｍ  幅は２〜５ｍｍとすることが好ましい。
【００１３】
前記蓋に設ける前記目視穴は蓋の長さ方向と直交する幅方向の中央位置に設けることが好ましい。また、該蓋の幅方向の両側の下面に前記本体側の係止リブと対応する位置に係止リブを設けても良いが、該係止リブは前記目視穴からの目視を遮蔽しない位置に設けている。
【発明の効果】
【００１４】
前記のように、第１の発明に係わるプロテクタでは、本体の内面側にコルゲートチューブを挟み込み固定する係止リブを並設する一方、蓋にコルゲートチューブの挿入端の位置を目視できる目視穴を設け、該目視穴は本体の先端開口からのコルゲートチューブの挿入寸法が設定寸法の公差範囲であれば目視できる位置に設けている。よって、プロテクタの本体に蓋を固定して内部が遮蔽された状態で、蓋の目視穴からコルゲートチューブの先端が目視できれば、プロテクタへのコルゲートチューブの挟み込み固定寸法が設定寸法の公差寸法内にあると判断でき、コルゲートチューブの挟み込み量を実寸で管理することができる。
また、第２の発明に係わるプロテクタでは、蓋に設ける第１目視穴と第２目視穴はコルゲートチューブ先端が設定寸法の交差寸法内にあれば目視できない位置に設けているため、コルゲートチューブ先端が見えるとコルゲートチューブの挟み込み固定寸法が設定寸法の公差寸法外の不良品であると判断できる。
【図面の簡単な説明】
【００１５】
【図１】本発明の第１実施形態のプロテクタの斜視図である。
【図２】第１実施形態のプロテクタの本体を示し、（Ａ）は要部平面図、（Ｂ）は（Ａ）の左側面図である。
【図３】第１実施形態の蓋とコルゲートチューブとの関係を示し、（Ａ）は要部平面図、（Ｂ）は蓋の左側面図である。
【図４】前記プロテクタにコルゲートチューブを挿入した部分の断面図である。
【図５】（Ａ）〜（Ｅ）は目視検査の判定結果を示す説明図である。
【図６】第２実施形態の蓋の要部平面図である。
【図７】（Ａ）〜（Ｅ）は第２実施形態の目視検査の判定結果を示す説明図である。
【図８】（Ａ）（Ｂ）は従来例を示す図面、（Ｃ）は該従来例の問題点を示す図面である。
【発明を実施するための形態】
【００１６】
以下、本発明の実施形態のプロテクタを図面を参照して説明する。
図１乃至図５に本発明の第１実施形態のプロテクタを示す。
【００１７】
プロテクタ１は自動車に配索するワイヤハーネス２に外装するプロテクタであり、該ワイヤハーネス２には外装したコルゲートチューブ３の端部をプロテクタ１の先端開口１ａから所要寸法挿入し、プロテクタ１内に挟み込み固定している。
前記コルゲートチューブ３は汎用の樹脂成形品であり、環状の山部３ａと谷部３ｂとを軸線方向に交互に設けている。前記プロテクタ１は本体５と蓋６とからなり、それぞれ射出成形品からなる。
【００１８】
前記のように、プロテクタ１は本体５と、別体の蓋６とからなり、本体５と蓋６で囲まれるワイヤハーネス貫通路７にワイヤハーネス２を貫通させている。詳しくは、ワイヤハーネス２に外装したコルゲートチューブ３を本体５の先端開口（即ち、プロテクタ１の先端開口１ａ）から所要寸法挿入し、該コルゲートチューブ３の先端から引き出されるワイヤハーネス２の電線群を本体５内に貫通して他端開口（即ち、プロテクタ１の他端開口１ｂ）から引き出し、その後、蓋６を本体５の上面開口に被せて閉鎖し、本体５に設けた被ロック部５ｒに蓋６のロック部６ｒをロック結合するようにしている。かつ、前記他端開口１ｂには本体５からテープ巻片５ｆを突設し、ワイヤハーネス２とテープ巻片５ｆをテープ巻き固着するようにしている。
【００１９】
図２に示すように、コルゲートチューブ３を内嵌する先端開口１ａから所定区間Ｓには、本体５の底壁５ｃと両側壁５ｄの内面に円弧状の係止リブ１０を軸線方向に間隔をあけて複数本を並設している。図４に示すように、係止リブ１０はコルゲートチューブ３の谷部３ｂに挿入し、谷部３ｂの間の山部３ａを隣接する係止リブ１０で挟み込んで固定するものとしている。
【００２０】
本実施形態では、４個の係止リブ１０は並設し、係止リブ１０の間にコルゲートチューブ３の山部３ａが嵌合して、挿入したコルゲートチューブ３を位置決め保持するようにしている。図５に示すように、コルゲートチューブ３の先端停止位置Ｐ−０はプロテクタ１の先端開口１ａから３５ｍｍの位置に設定している。即ち、コルゲートチューブ３のプロテクタ１内の挿入寸法は３５ｍｍを設定寸法とし、３５ｍｍ＋５ｍｍ〜３５ｍｍ−５ｍｍを公差範囲Ｌとし、Ｐー１はマイナス公差端位置、Ｐ−２はプラス公差端位置である。  
【００２１】
図３に示すように、前記蓋６は本体５とロック固定した状態で、コルゲートチューブ３の停止位置の上方で且つ蓋６の幅方向の中央に目視穴１１を設けている。該目視穴１１はワイヤハーネスの配線方向に沿った長方形とし、該目視穴１１からコルゲートチューブ３の挿入端３ｅが前記公差範囲Ｌ内に位置すると目視できるようにしている。該目視範囲は図３中で二点鎖線Ｘで示す範囲である。
本実施形態では、目視穴１１の長さは１５ｍｍとし、長さ方向の中心１１ａを前記停止位置Ｐ−０と一致させ、長さ方向の両端１１ｂ、１１ｃをぞれぞれ前記Ｐ−１、Ｐ−２と一致させている。該目視穴１１の長さ方向と直交する幅方向の寸法は２〜５ｍｍの範囲で、本実施形態では５ｍｍとしている。
【００２２】
また、図４に示すように、蓋６の下面と本体５内に固定するコルゲートチューブ３の山部３ａの頂上３ｔとの間に隙間Ｃを設け、目視穴１１からプロテクタ１の内部を横方向（長さ方向）に目視できるようにしている。
【００２３】
さらに、本体５の係止リブ１０と上下対向位置の蓋６の下面には、幅方向の両側に円弧状の係止リブ１２を突設しているが、前記目視穴１１の形成位置に連続する蓋６の中央下面位置には係止リブ１２を突設していない。
【００２４】
つぎに、プロテクタ１へのワイヤハーネスの組付工程およびプロテクタ１内へのコルゲートチューブ３の接続寸法（挟み込み量）の目視検査工程について説明する。
【００２５】
まず、コルゲートチューブ３を外装したワイヤハーネス２をプロテクタ１の本体５に先端開口１ａから挿入し、コルゲートチューブ３の谷部３ｂの下半周に係止リブ１０を挿入し、山部３ａを隣接する係止リブ１０で挟み込んで固定する。
【００２６】
このように本体５内に挿入係止したコルゲートチューブ３の先端から引き出されるワイヤハーネス２の電線群を他端開口１ｂへと本体５の内部を通して本体５内を貫通させ、他端開口１ｂから引き出されるワイヤハーネス２の電線群をテープ巻片５ｆに粘着テープで巻き付ける。
ついで、本体５に蓋６を被せ、本体５の被ロック部５ｒに蓋６のロック部６ｒをロック結合する。蓋６には本体５の係止リブ１０と対向する位置の幅方向両側に係止リブ１２を設けているため、コルゲートチューブ３の上側の谷部３ｂの幅方向の両側部に係止リブ１２が挿入し、プロテクタ１内のコルゲートチューブ３を上下からも挟み込み固定する。
【００２７】
前記工程でプロテクタ１へのコルゲートチューブ３で外装したワイヤハーネス２の組みつけ工程が終了し、その後、コルゲートチューブ３のプロテクタ２への挿入寸法（挟み込み量）の検査を行う。
プロテクタ１内のコルゲートチューブ３の挿入端３ｅは本体５と蓋６に囲まれた密閉空間に位置するため外部から見えないが、蓋６に目視穴１１を設けているため、検査員は蓋６の上方から目視穴１１を通してプロテクタ１の内部を見ることができる。
【００２８】
図５（Ａ）に示すように、コルゲートチューブ３の挿入端３ｅが設計通りであれば、該コルゲートチューブ３の挿入端３ｅは目視穴１１の長さ方向の中心１１ａに位置し、目視穴１１を通して検査員はコルゲートチューブ３の挿入端３ｅを目視でき、公差範囲Ｌにコルゲートチューブ３がプロテクタ１内に挟み込み固定されていることが確認できる。即ち、目視工程でＯＫとなる。
【００２９】
図５（Ｂ）（Ｃ）に示すように、また、前記設計通りの停止位置Ｐ−Ｏを挟む短い位置Ｐ−１および長い位置Ｐ−２の間にコルゲートチューブ３の挿入端３ｅが位置すると、目視穴１１から見えるため、コルゲートチューブ３の挿入端３ｅが公差範囲Ｌ内にあると判断できる。即ち、目視工程でＯＫとなる。
【００３０】
一方、図５（Ｄ）（Ｅ）に示すように、目視穴１１を通してコルゲートチューブ３の挿入端３ｅが見えないと、コルゲートチューブ３の挿入量が公差範囲から外れ、図５（Ｄ）に示すように挿入量が短すぎるか、図５（Ｅ）に示すように挿入量が長すぎると、目視工程でＮＧとなる。挿入量が短すぎるとコルゲートチューブ３がプロテクタ１から離脱しやすくなり、長過ぎると、プロテクタの挿入前の領域でワイヤハーネスの長さが短くなる事態が発生することになる。よって、プロテクタ１の蓋６を本体５から外して、コルゲートチューブ３の挿入をやり直し、不良品の流出を阻止できる。
【００３１】
このように、本発明のプロテクタでは、蓋６に目視穴１１を設け、該目視穴１１の形成位置および長さを、コルゲートチューブの挿入端が設定値に対してプラス側公差範囲内およびマイナス側公差範囲内に位置すれば目視できるように設定している。よって、目視穴１１を通してプロテクタ１の内部を一瞥し、コルゲートチューブ３の挿入端３ｅが目視できるか否かで、簡単に検査することができる。
【００３２】
図６および図７に第２実施形態を示す。
第２実施形態では、蓋６に第１目視穴１１Ａと第２目視穴１１Ｂを長さ方向に間隔をあけて設けている。
第１実施形態と同様に、プロテクタ１内へのコルゲートチューブ３の挿入寸法を３５ｍｍとし、＋５ｍｍ、−５ｍｍが公差範囲Ｌであると、第１目視穴１１Ａと第２目視穴１１Ｂの間隔を１０ｍｍとし公差範囲Ｌの両端に位置させている。すなわち、第１目視穴１１Ａの長さ方向の入口側端のマイナス端１１Ａー、反対側をプラス端１１Ａ＋、第２目視穴１１Ｂのマイナス端１１Ｂ−とプラス端１１Ｂ＋とし、第１目視穴のプラス端１１Ａ＋と第２目視穴のマイナス端１１Ｂ−で挟まれた公差範囲Ｌの中間位置を設計指定寸法としている。
第１目視穴１１Ａ、第２目視穴１１Ｂの長さは５〜１０ｍｍ（本実施形態では５ｍｍ）とし、幅は２〜５ｍｍ（２ｍｍ）としている。
他の構成は第１実施形態と同様であるため、同一符号を付して説明を省略する。
【００３３】
前記のように蓋６に第１目視穴１１Ａと第２目視穴１１Ｂを設けた場合、図７（Ａ）に示すように、コルゲートチューブ３の挿入端３ｅが設計通りであれば、該コルゲートチューブ３の挿入端３ｅは第１目視穴１１Ａと第２目視穴１１Ｂの離れた領域の長さ方向の中央に位置する。この状態では、目視穴１１Ａを通して検査員はコルゲートチューブ３の挿入端３ｅでない部分（即ち、本体部分）を目視できるがコルゲートチューブ挿入端３ｅは目視できず、目視穴１１Ｂを通して検査員はコルゲートチューブの本体部分およびコルゲートチューブ挿入端３ｅが見えない状態となり、目視工程でＯＫとなる。
【００３４】
図７（Ｂ）（Ｃ）に示すようにコルゲートチューブの挿入量が少ない場合には、第７図（Ｂ）に示すように、第１目視穴１１Ａのマイナス端１１Ａ−からコルゲートチューブ挿入端３ｅが見えない場合は、公差範囲Ｌ内に無いと判断し、目視工程でＮＧとなる。また、図７（Ｃ）に示すように、第１目視穴１１Ａからコルゲートチューブ挿入端３ｅが見えるが第２目視穴１１Ｂのマイナス端１１Ｂ−から見えない場合は公差範囲Ｌ内に無いと判断し目視検査でＮＧとなる。
【００３５】
図７（Ｄ）（Ｅ）に示すようにコルゲートチューブの挿入量が長過ぎる場合は、図７（Ｄ）に示すように、第１目視穴１１Ａを通してコルゲートチューブ３の本体部分が見えると共に、第２目視穴１１Ｂを通してもコルゲートチューブ挿入端３ｅが見えると、コルゲートチューブ３の挿入量が公差範囲から外れて挿入オーバーとなり、目視検査でＮＧとなる。また、図７（Ｅ）に示すように、第２目視穴のプラス端１１Ｂ＋からコルゲートチューブ挿入端３ｅが見えないがコルゲートチューブ３の本体部分が見えると、公差範囲Ｌ内に無いと判断し目視検査でＮＧとなる。
【００３６】
本発明は前記実施形態に限定されず、公差範囲Ｌは設定寸法の＋１０ｍｍ、−５ｍｍとしてもよい。また、蓋６は本体５の一方の側壁に薄肉ヒンジを介して一体成形で設けてもよい。また、目視穴は長方形が好ましいが長穴でもよい。
さらに、プロテクタの両端開口にワイヤハーネスに外装したコルゲートチューブを挿入する場合には、蓋の長さ方向の両側にそれぞれ目視穴を設けることが好ましい。
【符号の説明】
【００３７】
１  プロテクタ
２  ワイヤハーネス
３  コルゲートチューブ
３ａ  山部
３ｂ  谷部
３ｅ  挿入端
５  本体
６  蓋
１０、１２  係止リブ
１１  目視穴
１１Ａ  第１目視穴
１１Ｂ  第２目視穴
【図１】
0005691751.tif 000002
【図２】
0005691751.tif 000003
【図３】
0005691751.tif 000004
【図４】
0005691751.tif 000005
【図５】
0005691751.tif 000006
【図６】
0005691751.tif 000007
【図７】
0005691751.tif 000008
【図８】
0005691751.tif 000009